(57)【要約】【課題】鼻孔の奥に挿入したとしても容易に鼻孔から引き抜くことができ、さらに、洗浄が容易に行える吸引ヘッド、及びこれを利用した鼻汁吸引器を提供すること。【解決手段】鼻汁を吸引するための負圧発生部よりも先端に配置され、鼻孔に挿入されて鼻汁を引き込むための開口部ＭＳを有する挿入部２１と、挿入部２１と一体的に形成されて挿入部２１よりも負圧発生部側に配置され、開口部ＭＳと連通した鼻汁の通路を内側に有すると共に、負圧発生部側の他部材に接続される接続部２４と、接続部２４の挿入部２１側の先端部から外側に張り出して形成され、挿入部２１を鼻孔に挿入した際に鼻孔入口周辺ＥＴに当接する鼻当接部２８と、鼻当接部２８の全周縁部が負圧発生部側に曲って延伸することで形成され、接続部２４と距離Ｗ１をあけて接続部２４を囲むように配置され、延伸した先の端部が自由端とされている延伸部３２と、を有する。【選択図】図６
2019111030.tif 000002
【特許請求の範囲】
【請求項１】
全体的に柔軟性を有し、
鼻汁を吸引するために負圧を発生させる負圧発生部よりも先端に配置され、鼻孔に挿入されて前記鼻汁を引き込むための開口部を有する挿入部と、
前記挿入部と一体的に形成されるようにして前記挿入部よりも前記負圧発生部側に配置され、前記開口部と連通した鼻汁の通路を内側に有すると共に、前記負圧発生部側の他部材に接続される接続部と、
前記挿入部よりも前記負圧発生部側に配置され、前記接続部の前記挿入部側の先端部から外側に張り出して形成され、前記挿入部を鼻孔に挿入した際に鼻孔入口周辺に当接する鼻当接部と、
前記鼻当接部の全周縁部が前記負圧発生部側に曲って延伸することで形成され、前記接続部と距離をあけて前記接続部を囲むように配置され、前記延伸した先の端部が自由端とされている延伸部と、
を有することを特徴とする鼻汁吸引器用の吸引ヘッド。
【請求項２】
前記延伸部は略円筒状であることを特徴とする請求項１に記載の鼻汁吸引器用の吸引ヘッド。
【請求項３】
前記鼻当接部は、前記挿入部および前記延伸部に比べて厚みが大きな肉厚部を有することを特徴とする請求項１又は２に記載の鼻汁吸引器用の吸引ヘッド。
【請求項４】
前記延伸部の前記延伸した先の端部は、前記延伸部の他の領域に比べて、外側に向かって厚みが大きく形成されている、ことを特徴とする請求項１乃至３のいずれかに記載の鼻汁吸引器用の吸引ヘッド。
【請求項５】
前記延伸部における前記延伸した先の端部以外の領域は、前記吸引ヘッドの中で最も薄肉であることを特徴とする請求項４に記載の鼻汁吸引器用の吸引ヘッド。
【発明の詳細な説明】
【技術分野】
【０００１】
本発明は鼻汁吸引器用の吸引ヘッドに関する。
【背景技術】
【０００２】
従来より、乳幼児や病人等の鼻詰まりを解消するため、鼻汁吸引器が用いられている。
特許文献１は、この鼻汁吸引器の例であり、その図２に示されるように、ストロー１と、その端部に接続された鼻当て部４とを有している。鼻当て部４は鼻孔に入る吸引ヘッドであり、中心に吸引孔４ｃが形成されている。これにより、その図５に示されるように、鼻当て部４を鼻孔に挿入して、親等の操作者がストロー１を吸うことで鼻汁を吸引できる。
また、特許文献１の鼻当て部４の外面は円錐状にされており、これにより、鼻孔に挿入し易くすると共に、鼻孔内を封止して吸引力が外に漏れないようにしている。なお、従来の鼻汁吸引器は、上記図２のようなストローの代わりにチューブを使う方が一般的である。
【先行技術文献】
【特許文献】
【０００３】
【特許文献１】特開平１１−３１９０７３号公報
【発明の概要】
【発明が解決しようとする課題】
【０００４】
ところで、例えば乳幼児が鼻汁の吸引を嫌がって暴れるなど、被操作者が動いた際に、特許文献１の鼻当て部４では、その全体が鼻孔に入ってしまう恐れがある。もし、このように鼻当て部４の全体が鼻孔に入ってしまうと、特許文献１では、鼻当て部４を引き抜く際に円錐状部４ａが傘のように開いてアンカーとなったり、周縁が捲れたりして、鼻孔から容易に引き抜くことが出来なくなる。
また、鼻汁の量が多かったり粘度が低かったりする場合、鼻汁は鼻孔入口周辺にある鼻当て部４の表面を伝わり、図２の円錐状部４ａの内側空間に回り込んでくる恐れがあり、鼻汁が内側空間に侵入してくると鼻当て部４の洗浄が困難となる。
【０００５】
本発明は、このような課題を解決するものであり、鼻孔の奥に挿入したとしても容易に鼻孔から引き抜くことができ、さらに、洗浄が容易に行える吸引ヘッド、及びこれを利用した鼻汁吸引器を提供することを目的とする。
【課題を解決するための手段】
【０００６】
上記課題は、本発明によれば、全体的に柔軟性を有し、鼻汁を吸引するために負圧を発生させる負圧発生部よりも先端に配置され、鼻孔に挿入されて前記鼻汁を引き込むための開口部を有する挿入部と、前記挿入部と一体的に形成されるようにして前記挿入部よりも前記負圧発生部側に配置され、前記開口部と連通した鼻汁の通路を内側に有すると共に、前記負圧発生部側の他部材に接続される接続部と、前記挿入部よりも前記負圧発生部側に配置され、前記接続部の前記挿入部側の先端部から外側に張り出して形成され、前記挿入部を鼻孔に挿入した際に鼻孔入口周辺に当接する鼻当接部と、前記鼻当接部の全周縁部が前記負圧発生部側に曲って延伸することで形成され、前記接続部と距離をあけて前記接続部を囲むように配置され、前記延伸した先の端部が自由端とされている延伸部と、を有する鼻汁吸引器用の吸引ヘッドにより解決される。
【０００７】
本発明の吸引ヘッドによれば、鼻汁を吸引するために負圧を発生させる負圧発生部よりも先端に配置され、鼻孔に挿入されて鼻汁を引き込むための開口部を有する挿入部と、挿入部と一体的に形成されるようにして挿入部よりも負圧発生部側に配置され、開口部と連通した鼻汁の通路を内側に有すると共に、負圧発生部側の他部材に接続される接続部とを有する。従って、接続部を負圧発生部側の他部材に接続して、接続部の鼻汁の通路内に負圧を発生させれば、その通路と連通した挿入部の開口部から鼻汁を吸引できる。
また、吸引ヘッドは、挿入部よりも負圧発生部側に配置され、接続部の挿入部側の先端部から外側に張り出して形成され、挿入部を鼻孔に挿入した際に鼻孔入口周辺に当接する鼻当接部を有する。従って、挿入部を鼻孔に挿入して、鼻当接部を鼻孔入口周辺に当てれば鼻孔内は封止され、この状態で負圧を発生させれば、挿入部の開口部から効果的に鼻汁を吸引できる。
ここで、鼻当接部の全周縁部が負圧発生部側に曲って延伸することで形成され、接続部と距離をあけて接続部を囲むように配置された延伸部を有する。このため、もし、鼻当接部の全体が鼻孔に挿入したとしても、吸引ヘッド全体が鼻孔に挿入されることを防止して、鼻当接部が開いたり捲れたりすることもなく、容易な引き抜きが可能となる（引き抜きの容易化）。
また、延伸部があるために、鼻孔入口周辺に配置された鼻当接部の裏側に鼻汁が回り込むような事態も防止して、吸引ヘッドの洗浄も容易になる（洗浄の容易化）。
しかも、延伸部は鼻当接部の全周縁部が負圧発生部側に曲って延伸するものであり、鼻当接部が円錐台状などのまま延伸して後端に向かって傘が広がるような形状（裾広がりな形状）とはされていない。このため、延伸部と鼻の下との距離が確保されやすく、乳幼児が暴れるなど被操作者が動いても、延伸部が鼻の下等に接触し難くなる。従って、被操作者の吸引動作中のストレスを軽減できる（ストレスの軽減）。
また、不明瞭な鼻腔内で鼻汁の場所を探るのに挿入部を方向転換したり、不意な被操作者の動きに追従したりして接続部が曲ったとしても、延伸部と接続部との間には所要の距離があるため、接続部の曲げを円滑にして、操作を容易に行うことができる（操作の容易化）。
更に、延伸部の一部が鼻孔内に挿入しても、延伸部と接続部との間に距離があることで、柔軟性のある延伸部は個人差のある種々の鼻形状に対応して変形が容易となる（鼻形状の個人差への対応）。従って、鼻形状に個人差があっても鼻孔を有効に封止して効果的な吸引力を実現できるし、また、延伸部が鼻孔に当たった際の力を吸収し、延伸部が鼻孔に接触することで生じる痛みや違和感が生じ難いという効果を発揮する。
しかも、延伸部の、鼻当接部の全周縁から負圧発生部側に曲がって延伸した先の端部は自由端とされているので、延伸部の変形の自由度はより高くなり、これにより上記「鼻形状の個人差への対応」をより高めることができる。また、このように自由端にすることで、操作者及び被操作者のストレスを軽減することもできる。例えば、もし、延伸部の延伸した先が接続部に繋がっていると、鼻当接部が鼻孔入口周辺に衝突した際や、操作者が鼻汁の場所を探して挿入部を鼻孔内で動かした際、延伸部が外側に膨らんで操作の邪魔になったり被操作者の鼻の下に当たる等してストレスになるが、本発明の延伸部の延伸した先は自由端であるため、延伸部が外側に膨らむこともなく、そのようなストレスを防止できる。
【０００８】
また、好ましくは、前記延伸部は略円筒状であることを特徴とする。
このため、例えば円錐状のように先が広がった延伸部とは違い、狭い鼻孔に延伸部が挿入しても、鼻孔入口周辺において延伸部は皺になり難くなる。従って、皺になり難い分、鼻との密着度が高まって空気漏れを有効に防止することができる。
【０００９】
前記鼻当接部は、前記挿入部および前記延伸部に比べて厚みが大きな肉厚部を有していることを特徴とする。
従って、鼻当接部は肉厚で撓み難くなって、鼻孔周辺に当接し易くなり、空気が漏れないように鼻孔を封止できる。また、例えば吸引動作中に暴れる乳幼児の鼻孔の深くに、鼻当接部が撓んで侵入することを防止できる。そして、鼻当接部は、乳幼児が暴れたりして鼻孔内の挿入部が動いて曲ることで応力が集中し易い状態になっても、損傷の危険を回避できる。
【００１０】
また、好ましくは、前記延伸部の前記延伸した先の端部は、前記延伸部の他の領域に比べて、外側に向かって厚みが大きく形成されていることを特徴とする。
従って、もし鼻汁が延伸部を伝わって流れてきたとしても、その流れを延伸部の先の端部が障壁になって止め、延伸部と接続部との間に鼻汁が入り込むことを防止できる。従って、洗浄する際に延伸部をめくる必要がなくなって、吸引ヘッドの洗浄が容易となり、吸引ヘッドの破損も防止できる。
【００１１】
また、好ましくは、前記延伸部における前記延伸した先の端部以外の領域は、前記吸引ヘッドの中で最も薄肉であることを特徴とする。
このため、延伸部における延伸した先の端部以外の領域は、最も薄肉で可撓性に優れる。従って、延伸部が鼻孔に挿入して、不明瞭な鼻腔内で鼻汁の場所を探るのに挿入部を方向転換した際、延伸部が挿入部の動きに追従して動いて鼻粘膜に衝突したとしても、鼻粘膜を傷つける恐れを有効に防止し、また、被操作者に与える違和感も抑制することができる。また、延伸部の変形の自由度が更に高くなり、上記「鼻形状の個人差への対応」を更に高めることができる。
【発明の効果】
【００１２】
以上、本発明は、鼻孔の奥に挿入したとしても容易に鼻孔から引き抜くことができ、さらに、洗浄が容易に行える吸引ヘッド、及びこれを利用した鼻汁吸引器を提供することができる。
【図面の簡単な説明】
【００１３】
【図１】本発明の実施形態に係る吸引ヘッドを利用した鼻汁吸引器の斜視図。
【図２】図１の吸引ヘッドの正面図。
【図３】図１の吸引ヘッドの右側面図。
【図４】図１の吸引ヘッドの左側面図。
【図５】図３のＡ−Ａ拡大断面図。
【図６】図１の吸引ヘッドを鼻孔に挿入した際の使用状態図であり、図６（Ａ）は挿入部が鼻孔に挿入した通常の状態図、図６（Ｂ）は延伸部の一部が鼻孔に挿入した際の状態図。
【図７】図６（Ａ）の吸引ヘッドが動いた際の使用状態図。
【図８】図６（Ｂ）のＢ−Ｂ断面図。
【発明を実施するための形態】
【００１４】
以下に、本発明の好ましい実施形態を、図面を参照して詳しく説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。また、以下の図において、同一の符号を付した箇所は同様の構成である。
図１は本発明の実施形態に係る鼻汁吸引器１０の斜視図である。図１では、吸引ヘッド２０の中に配置されたヘッド接続部２５を外部から透かし見ることが可能なものとして図示している。
鼻汁吸引器１０は、鼻水吸引器や鼻水吸引装置などとも呼ばれ、鼻汁（鼻水とも言う）を除去するのに用いられる。鼻汁を除去するのは、呼吸を楽にしたり、鼻汁の菌が原因で生じる中耳炎や副鼻腔炎などの病気を予防したりするためである。特に乳幼児は自ら鼻をかめないので鼻詰まりになり易く、詰まった鼻汁を取り除くのに鼻汁吸引器１０は有効に用いられる。本実施形態はこの乳幼児用に適した鼻汁吸引器１０とされている。但し、本発明の鼻汁吸引器１０は乳幼児用に限定されるものではない。
【００１５】
図１の鼻汁吸引器１０は、鼻ＮＺの鼻孔に挿入して鼻汁を吸引する吸引ヘッド２０と、吸引ヘッド２０で吸引した鼻汁を溜める鼻汁貯留構造体４０と、吸引ヘッド２０内を負圧にするために空気を引くチューブ５０と、負圧を発生させる負圧発生部６０とを有している。
これら吸引ヘッド２０、鼻汁貯留構造体４０、チューブ５０、負圧発生部６０は、この順番で互いに接続されており、吸引ヘッド２０の開口部ＭＳと、鼻汁貯留構造体４０の内側空間Ｓと、チューブ５０内の空間Ｓ５とは連通している。そして、負圧発生部６０でチューブ５０内に負圧を付与することで、鼻汁貯留構造体４０を介して吸引ヘッド２０から鼻汁を吸引する仕組みになっている。
【００１６】
図１の鼻汁吸引器１０は、負圧発生部６０に公知の電動式ポンプが用いられた電動式である。一例をあげれば、負圧発生部６０の内側には、電源部６１と、この電源部６１から電源の供給を受けて作動するポンプ６２とを有し、このポンプ６２を駆動させてチューブ５０内の空気を吸入して、一定の負圧力（吸引力となる）を発生させている。ポンプ６２は操作部６４により吸引力の制御が可能である。なお、本発明の鼻汁吸引器１０は電動式のものに限られず、チューブ５０の先端を親などの操作者がくわえて口で吸うタイプのもの、或いは、手動式のスポイトやポンプで負圧を発生させて鼻汁を吸引するタイプのものでも構わない。
【００１７】
チューブ５０はその内側に空間Ｓ５を有する管状であって、吸引ヘッド２０の開口部ＭＳ内を負圧にするために空気を引く通路である。チューブ５０はシリコーンゴムなどの柔軟な材料により形成され、弾力性と可撓性を有するのが好ましい。チューブ５０と負圧発生部６０とは着脱可能である。
【００１８】
鼻汁貯留構造体４０は、全体が硬質のプラスチック樹脂で形成され、吸引ヘッド２０とチューブ５０との間に配置されている。鼻汁貯留構造体４０には、公知のもの（例えば特許第４０３１０９８号参照）を利用できる。図の場合の鼻汁貯留構造体４０は、吸引した鼻汁を溜める内側空間Ｓを有する収容容器４３と、この収容容器４３の上部に対して着脱可能な蓋部４４とを有する。
【００１９】
収容容器４３は操作者に把持される部分であり、図の場合、厚みＤを小さくして、親指ＴＦとその他の指ＡＦとで主面を無理なく挟持可能な寸法としている。
蓋部４４の内側は収容容器４３の内側空間Ｓと繋がった中空状である。蓋部４４は、その先端部に吸引ヘッド２０が接続されるヘッド接続部２５を有すると共に、側面部にチューブ５０が接続されるチューブ接続部５３を有する。
【００２０】
ヘッド接続部２５は略円筒状であり、そこに吸引ヘッド２０の接続部２４が差し込まれて使用される。図１ではヘッド接続部２５の孔に吸引ヘッド２０の接続部２４が差し込まれて互いに着脱自在とされ、これにより吸引ヘッド２０と鼻汁貯留構造体４０とを別々に洗浄可能としている。なお、本発明はこれに限られず、接続部２４の孔にヘッド接続部２５を差し込むようにしても構わない。また、チューブ５０とチューブ接続部５３も着脱自在であり、これにより、鼻汁貯留構造体４０から吸引ヘッド２０とチューブ５０を外して、鼻汁貯留構造体４０を単体にして洗浄することができる。
【００２１】
ヘッド接続部２５の内側は、鼻汁を鼻汁貯留構造体４０内に導くための蓋部４４に形成された開口である流入口４１と連通している。また、チューブ接続部５３の内側は、空気を引いて鼻汁貯留構造体４０内を負圧状態にするための開口である吸引口４２と連通している。
そして、流入口４１と吸引口４２とは、その開口部の向きが異なっており、これにより、流入口４１から流れてきた鼻汁は吸引口４２に侵入せずに、収容容器４３の内側空間Ｓに落下して溜めることができる。従って、吸引口４２及びチューブ接続部５３を介して、チューブ５０に鼻水が侵入する事態を防止することができ、チューブ５０の洗浄が容易となる。
【００２２】
以上のように、本実施形態の鼻汁貯留構造体４０は、蓋部４４のヘッド接続部２５及び流入口４１を介して流れてきた鼻汁を収容容器４３の内側空間Ｓに落下させて溜める構成とし、そして、溜められた鼻汁が吸引口４２に引き込まれないように、吸引口４２を先端側の蓋部４４に配置している。しかし、本発明の態様はこれに限られるものではない。例えば、鼻汁貯留構造体の先端部にヘッド接続部、鼻汁貯留構造体の後端部にチューブ接続部を配置し、先端側の流入口から流れてきた鼻汁が後端側の吸引口に引き込まれないように、流入口と吸引口との間にラビリンス構造を設けてもよい。
【００２３】
吸引ヘッド２０は、全体が柔軟性を有する材料、例えばシリコーンゴムで全てが一体的に形成され、その厚みに応じた可撓性を有している。吸引ヘッド２０は、鼻汁の吸引状態を外部から視認可能となるように透明又は半透明にされるのが好ましい。
この吸引ヘッド２０は、鼻孔に挿入される挿入部２１と、鼻孔入口周辺ＥＴ（図６参照）に当接する鼻当接部２８を有し、これら挿入部２１と鼻当接部２８とで略漏斗状とされている。
【００２４】
図１に示すように、挿入部２１は中空部Ｓ１を有する略円筒状であり、その先端には鼻汁を引き込むための開口部ＭＳが形成されている。開口部ＭＳは中空部Ｓ１と繋がっている。なお、挿入部２１は鼻孔の内径よりも小さく、鼻粘膜に接触せずに鼻孔に差し入れ可能な外形とされている。
鼻当接部２８は、吸引ヘッド２０の鼻孔への挿し込み過ぎを防止するストッパーであると共に、鼻孔内を封止するためものである。具体的には、鼻当接部２８は、挿入部２１よりも負圧発生部６０側（即ち、鼻汁を引く方向であり、本実施形態の場合は鼻汁貯留構造体４０側）に配置され、後述する接続部２４の挿入部２１側の先端部３９（図５参照）から外側に張り出して形成されている。そして、鼻当接部２８は、挿入部２１の半径方向の外側に拡がる表面を有する。図の場合、後端に向かうに従って外径が除々に大きくなる略円錐状又は略ドーム状とされ、これにより鼻孔形状が使用者により異なっても、鼻孔に容易に挿入すると共に、鼻孔入口周辺に鼻当接部を当接させ易くしている。
本実施形態の場合、図２に示すように、挿入部２１は、長さＬ１が３〜４ｍｍ程度、直径φ１が５ｍｍ前後である。また、鼻当接部２８は、長さＬ２が４〜５ｍｍ程度、直径φ２が１２〜１５ｍｍ程度である。これにより、基本的には、鼻当接部２８が鼻孔入口周辺に当たって鼻孔内を封止し、かつ、その先の挿入部２１が鼻孔内に挿入し過ぎることもなく、封止した空間内で鼻汁を効果的に吸引することができる。
【００２５】
本実施形態の鼻汁吸引器１０の特徴は以上の通りであり、上述した吸引ヘッド２０は更に特徴を備えているので、これを図２〜図７を用いて説明する。
図２は吸引ヘッド２０の正面図、図３は吸引ヘッド２０の右側面図、図４は吸引ヘッド２０の左側面図、図５は図３のＡ−Ａ拡大断面図、図６（Ａ）は挿入部２１を鼻孔に挿入した際の通常の使用状態図、図６（Ｂ）は延伸部３２の途中までが鼻孔内に挿入した際の使用状態図、図７は吸引ヘッド２０を動かした際の使用状態図、図８は図６（Ｂ）のＢ−Ｂ断面図である。なお、吸引ヘッド２０の背面図は図２の正面図と対称である。また、吸引ヘッド２０の平面図および底面図は図２の正面図と同一である。これらの図では吸引ヘッド２０の全体を不透明にして図示している。
【００２６】
吸引ヘッド２０は、図５に示すように、負圧発生部側の他部材（図の場合は鼻汁貯留構造体４０のヘッド接続部２５）と接続される接続部２４を有している。接続部２４は、挿入部２１が鼻当接部２８の径方向の中心部ＣＬを通って（突き抜けて）負圧発生部側に向かって延伸することで形成された円筒状であり、開口部ＭＳと連通した鼻汁の通路（鼻汁が通る通路）Ｓ２を内側に有する。即ち、接続部２４は挿入部２１と一体的に形成され、挿入部２１よりも負圧発生部側に配置されている。挿入部２１から接続部２４にかけては一本の真っ直ぐな円筒形状ないし管状であり、その内側が吸引した鼻汁の通路となる。そして、鼻当接部２８はこの一本の円筒形状ないし管状の途中から張り出したフランジ状部とされている。なお、本実施形態の接続部２４は、挿入部２１が鼻当接部２８の中央部ＣＬを通って延伸することで形成されているが、中央部ＣＬから位置がずれても構わない。
【００２７】
接続部２４の壁厚Ｔ１（但し、鼻当接部２８が配置された先端部３９を除く）は約１ｍｍと比較的肉厚であり、吸引ヘッド２０の中で、鼻当接部２８の次に大きな厚みとされている。接続部２４の長さＬ３は約２２ｍｍ前後であって、吸引ヘッド２０の中で最も長く、これにより、壁厚Ｔ１が大きくても所要の可撓性が発揮される。本実施形態の接続部２４は、通路Ｓ２が閉塞することなく少なくとも４５度の曲げが可能である。具体的には、接続部２４は、少なくとも吸引ヘッド２０よりも硬度の高いヘッド接続部２５の孔２５ａに５０％以上が挿入されており、このヘッド接続部２５に挿入されていない部分２４ａの４５度以上の曲げが可能とされている。このヘッド接続部２５に挿入されていない部分２４ａは、後述する延伸部３２に囲まれている。この部分２４ａは曲げにより通路Ｓ２が閉塞しないように内径（孔の直径）φ３を約３ｍｍとしているが、接続部２４は後端（鼻汁貯留構造体４０側）に向かうに従って僅かに外径を小さくすることで、ヘッド接続部２５への接続を容易にしている。
【００２８】
ここで、鼻当接部２８の全周縁部２８ａが負圧発生部側（即ち、鼻汁吸引器の後端側であり、図の場合は鼻汁貯留構造体４０側）に曲って延伸することで延伸部３２が形成されている。延伸部３２は、この延伸部３２により、吸引ヘッド２０は「鼻孔からの引き抜きの容易化」及び「洗浄の容易化」を図っている。
即ち、図６（Ｂ）に示すように鼻当接部２８の全体が鼻孔ＮＨ内に入った場合、もし延伸部３２がないと、吸引ヘッド２０を引き抜く際、鼻当接部２８の端部がめくれたりして引き抜き難くなってしまうが、鼻孔ＮＨ内に挿入不可能な延伸部３２が存在することで、鼻当接部２８の端部のめくれ等を防止して、吸引ヘッド２０を容易に引き抜くことができる。本実施形態の場合、図６（Ａ）に示す延伸部３２の長さＬ４は１０ｍｍ前後であり、挿入部２１の先端から、延伸部３２の延伸した先の端部３２ａまでの長さ（Ｌ１＋Ｌ２＋Ｌ４）を約１９ｍｍとすることで、延伸部３２の全体が鼻孔内に挿入されることを防止している。
【００２９】
また、通常の使用状態では、図６（Ａ）に示すように、鼻当接部２８は鼻孔入口周辺ＥＴに当接する部分であり、鼻汁がその表面を流れる恐れが高い部分であるため、延伸部３２がないと鼻汁が裏側２８ｂに付着する恐れがある。そうすると、吸引作業後の洗浄の際、鼻当接部２８をめくる必要が生じ、洗浄が困難であるし、吸引ヘッド２０が損傷する恐れもある。しかし、延伸部３２が存在することで、吸引ヘッド２０の内側に鼻汁が付着する事態を防止できる。
特に、延伸部３２の延伸した先の端部３２ａは、延伸部３２の他の部分に比べて、外側に向かって厚みが大きく形成されている。図の端部３２ａの厚みＴ３は延伸部３２の他の領域の厚みの凡そ２倍であり、延伸部３２の表面に段部４５が形成されている。従って、もし鼻汁が延伸部３２の表面を流れたとしても、この段部４５が障壁になって鼻汁の流れを止め、延伸部３２と接続部２４との間の空間Ｓ３への鼻汁の侵入を防止できる。
【００３０】
この点、円錐状又はドーム状の鼻当接部２８をそのまま延伸させても、延伸部３２の上記機能「引き抜きの容易化」「洗浄の容易化」は発揮されるが、本発明の延伸部３２は鼻当接部２８の全周縁部２８ａが負圧発生部側に曲って（角度θ分、曲って）延伸している。本実施形態の場合、延伸部３２は接続部２４に略沿って延伸している。従って、図６（Ａ）に示す通常の吸引作業において、延伸部３２は鼻の下ＵＮに当たることが可及的に防止され、被操作者へのストレスを軽減できる（「ストレスの軽減化」）。なお、接続部２４は後端に向かうに従って外径が小さくなるため、詳細には延伸部３２と接続部２４とは完全に平行ではなく、互いの間に僅かな角度（３度以内）を有しているが、このような場合も、鼻の下ＵＮへの延伸部３２の接触は防止されており、上記「延伸部３２は接続部２４に略沿って延伸している」ことに該当する。
【００３１】
更に、図５及び図６に示すように、延伸部３２は、接続部２４との間に距離Ｗ１をあけて、接続部２４を囲むように配置されている。図の場合、延伸部３２は略円筒状であって、接続部２４はその内側空間Ｓ３の径方向の中央部を通るため、延伸部３２と接続部２４とは横断面の形状が略同心円である。接続部２４と接続されたヘッド接続部２５も内側空間Ｓ３の中央部に配置される。これにより、不明瞭な鼻腔内で鼻汁の場所を探るのに、図７に示すように挿入部２１を方向転換したり、不意な被操作者の動きに追従したりして接続部２４（図７の場合はヘッド接続部２５に挿入されていない部分２４ａ）が曲ったとしても、延伸部３２が邪魔にならないため、接続部２４の曲げが円滑になって操作を容易に行うことができる（「操作の容易化」）。
【００３２】
また、図６（Ｂ）に示すように、延伸部３２の一部が鼻孔ＮＨ内に挿入しても、延伸部３２と接続部２４との間に距離Ｗ１があることで、可撓性のある延伸部３２は個人差のある種々の鼻形状に対応して変形が容易となる（「鼻形状の個人差への対応」）。従って、鼻形状に個人差があっても鼻孔を有効に封止して効果的な吸引力を実現できるし、また、被操作者が動いた際の力を吸収し、延伸部３２が鼻孔ＮＨに接触することで生じる痛みや違和感を有効に防止できる。
しかも、延伸部３２は、鼻当接部２８の全周縁部２８ａから負圧発生部側に曲がって延伸した先の端部３２ａが自由端とされているので、変形の自由度がより高くなり、上記「鼻形状の個人差への対応」をより高めることができる。
特に、本実施形態の延伸部３２は、接続部２４に略沿って延伸し、略円筒状とされているため、円錐状又は傘のように広がったものと比べて、延伸部３２の一部が鼻孔ＮＨ内に挿入しても、図８に示すように、鼻孔入口周辺ＥＴにおいて延伸部３２に形成される皺ＦＵが最小限で済む。従って、皺ＦＵができ難い分、鼻孔入口周辺ＥＴとの密着度が高まって吸引力を維持することができる。
なお、図５に示す延伸部３２の外径φ４は端部３２ａを除けばどの箇所も同様であるが、この外径φ４を端部３２ａに向かって除々に小さくしても、上述の皺を軽減できる。しかし、図５のように延伸部３２の外径φ４を同様にして略円筒形状にする方が鼻への密着度を高められるし、延伸部３２と接続部２４との距離Ｗ１を維持して上記「操作の容易化」を図ることができるため好ましい。
【００３３】
また、図５に示すように、延伸部３２は、延伸した先の端部３２ａ以外の領域が、吸引ヘッド２０の中で最も薄肉とされ、可撓性に最も優れている（図５の厚みＴ２は０．５ｍｍである。）。従って、図６（Ｂ）の延伸部３２の一部を鼻孔に挿入している状態で、挿入部２１を方向転換した際、延伸部３２が鼻粘膜に接触したとしても、鼻粘膜を傷つける恐れを有効に防止でき、また、被操作者に与える違和感を抑制できる。また、延伸部３２の変形の自由度が更に高くなり、上記「鼻形状の個人差への対応」を更に高めることもできる。
【００３４】
ところで、図５に示す鼻当接部２８は、挿入部２１および延伸部３２に比べて厚み（吸引ヘッド２０を鼻孔に挿入する方向に沿った厚み）Ｔ４が大きな肉厚部２８ｃを有している。肉厚についてまとめると、延伸部３２（但し端部３２ａを除く）の厚みＴ２＜挿入部２１の厚みＴ５＜接続部２４の厚みＴ１＜肉厚部２８ｃの厚みＴ４であり、吸引ヘッド２０の中で肉厚部２８ｃの厚みＴ４が最も大きい。
従って、鼻当接部２８は肉厚で変形し難くなって、鼻孔入口周辺に当接し易くなり、空気の漏れがないように鼻孔を封止できる。また、被操作者が乳幼児の場合、吸引動作中に暴れる乳幼児の鼻孔の深くに吸引ヘッド２０が侵入することを防止できる。
また、鼻当接部２８の肉厚部２８ｃは、接続部２４の先端部３９の壁部と一体的に形成され、接続部２４の先端部３９から接続部２４の径方向の外側に向かって張り出した構成とされている。従って、肉厚部２８ｃは、鼻孔内の挿入部２１が動くなどして先端部３９が曲ることで応力が集中し易い状態になっても、損傷の危険を回避できる。
【００３５】
本発明は上記実施の形態に限定されるものではなく、上述の実施形態の個別の構成は、必要により省略したり、説明しない他の構成と組み合わせたりしてもよい。
例えば、上記実施形態では、図１に示すように吸引ヘッド２０は鼻汁貯留構造体４０に接続されているが、吸引ヘッド２０をチューブ５０に接続し、鼻汁貯留構造体４０をチューブ５０と負圧発生部６０との間に配置してもよい。
また、挿入部２１から接続部２４にかけて一本の真っ直ぐな円筒形状とされているが、本発明はこれに限られず、挿入部２１及び／又は接続部２４はその途中で曲げられても構わず、また、円筒形状以外の筒形状であってもよい。
また、上記実施形態の延伸部３２は、好ましい形態として接続部２４に略沿って形成されているが、接続部２４に対して角度を有していてもよい。
【符号の説明】
【００３６】
１０・・・鼻汁吸引器、２０・・・吸引ヘッド、２１・・・挿入部、２４・・・接続部、２８・・・鼻当接部、２８ｃ・・・肉厚部、３２・・・延伸部、４０・・・鼻汁貯留構造体、４１・・・流入口、６０・・・負圧発生部（電動式ポンプ）、ＭＳ・・・開口部
【図１】
2019111030.tif 000003
【図２】
2019111030.tif 000004
【図３】
2019111030.tif 000005
【図４】
2019111030.tif 000006
【図５】
2019111030.tif 000007
【図６】
2019111030.tif 000008
【図７】
2019111030.tif 000009
【図８】
2019111030.tif 000010